(57)【要約】１つの単位としてまとめて扱える内キャップと外キャップとを含む容器閉鎖アセンブリを開示する。前記内キャップは、容器の出口開口部に密着嵌合され、挿入部分に形成されるフランジを有し、前記外キャップは、前記内キャップを封入するように、前記出口開口部の外周面に係合されるネジ部を有し、前記内キャップの前記外キャップからの離脱が防止されるように、前記内キャップと前記外キャップとは対応係止部材を有する。前記外キャップは、段差部を形成するように前記ネジ部の直径よりも小径の直径を有する第２係合部分を含み、かつ前記第２係合部分の内周面に形成される少なくとも１つの係止部を有し、前記内キャップは、同内キャップから上向きに突出する第１係合部分を含み、かつ前記外キャップの第２係合部分に対応する前記第１係合部分の外周面に形成される係止部を有する。
2009542531.tif 000002
【特許請求の範囲】
【請求項１】
１つの単位としてまとめて扱える内キャップ１０と外キャップ２０を含む容器閉鎖アセンブリであって、前記内キャップ１０が容器２の出口開口部２ａに密着嵌合し、かつ挿入部分１１に形成されるフランジ１２を有し、前記外キャップ２０が前記内キャップ１０を封入するように前記出口開口部２ａの外周面に係合されるネジ部２１を有し、さらに、前記内キャップ１０と前記外キャップ２０とが対応係止部材Ｃを有することから、前記内キャップ１０が前記外キャップ２０から完全に離脱しないようになっていることを特徴とする容器閉鎖アセンブリ。
【請求項２】
請求項１記載の閉鎖アセンブリであって、前記係止部材Ｃに、前記内キャップ１０の挿入部分１１の後面から上向きに突起し、かつその上端部に形成されるフック部１３ａを有する第１結合カラム１３と、前記外キャップ２０の上面から下向きに突起し、かつ前記第１結合カラムのフック部１３ａに係合されるフック部２３ａを有する第２結合カラム２３と、が含まれることを特徴とする閉鎖アセンブリ。
【請求項３】
請求項１または請求項２記載の閉鎖アセンブリであって、前記内キャップ１０に、前記第２結合カラム２３を前記第１結合カラム１３に沿ってガイドするとともに、前記内キャップ１０を補強する円筒状ガイド部１４が設けられることを特徴とする閉鎖アセンブリ。
【請求項４】
請求項１または請求項２記載の閉鎖アセンブリであって、前記第１及び第２結合カラム１３，２３のフック部１３ａ，２３ａが、互いに螺合されるネジ部１３ａｂ，２３ａｂに形成されることを特徴とする閉鎖アセンブリ。
【請求項５】
請求項１または請求項２記載の閉鎖アセンブリであって、前記フック部２３ａを備える前記第２結合カラム２３に、その前端部に半径方向に形成される切欠部２３ｂが設けられることを特徴とする閉鎖アセンブリ。
【請求項６】
請求項１記載の閉鎖アセンブリであって、前記外キャップ２０が、段差部を形成するように前記ネジ部２１の直径よりも小径の直径を有する第２係合部分２５を含み、かつ前記第２係合部分の内周面に形成される少なくとも１つの係止部２５ａを有し、前記内キャップ１０が、同内キャップから上向きに突出する第１係合部分１５を含み、かつ前記外キャップの第２係合部分２５に対応する前記第１係合部分１５の外周面に形成される係止部１５ａを有することを特徴とする閉鎖アセンブリ。
【請求項７】
請求項６記載の閉鎖アセンブリであって、前記第１係合部分１５が、凹溝１５ｂと、その凹溝１５の上部分に形成される当接部１５ｂａを有し、前記第２係合部分２５が、前記凹溝１５ｂの当接部１５ｂａに対応する係止ボス２５ｂを有することを特徴とする閉鎖アセンブリ。
【請求項８】
請求項１記載の閉鎖アセンブリであって、前記内キャップ１０に、前記挿入部分１１の後面に形成される空間１１ａを被装し、かつその中心部に形成されるアンカー孔１７を有する上面１６が含まれ、前記外キャップ２０が、前記アンカー部２７ａの前記アンカー孔１７からの外れを防止するために、アンカー部２７ａを有するアンカー２７と一体的または別個に形成されることを特徴とする閉鎖アセンブリ。
【請求項９】
請求項１記載の閉鎖アセンブリであって、前記外キャップ２０に通孔２９が設けられ、前記内キャップ１０に、前記外キャップの上部分から前記通孔２９を貫通して前記内キャップ１０を係合し、前記外キャップ２０が外れることを防止するつまみ１８ａを有する係止部１８が含まれることを特徴とする閉鎖アセンブリ。
【請求項１０】
請求項１記載の閉鎖アセンブリであって、前記内キャップ１０または前記外キャップ２０に、前記閉鎖装置（クロージャ）の前記容器本体２の出口開口部から係合解除後に前記閉鎖アセンブリを前記容器本体２に取り付け状態に保つための磁石３１またはベルクロ繊維ファスナー（図示せず）が設けられることを特徴とする閉鎖アセンブリ。
【請求項１１】
請求項１記載の閉鎖アセンブリであって、前記内キャップ１０または前記外キャップ２０に、前記容器本体の容器本体２から係合解除される前記閉鎖アセンブリを保持するために、前記容器本体２に形成される閉鎖装置（クロージャ）保持部２ｂに対応する凹状取付部２２が設けられることを特徴とする閉鎖アセンブリ。
【請求項１２】
請求項１記載の閉鎖アセンブリであって、前記外キャップ２０に、前記閉鎖装置（クロージャ）が前記容器本体の出口開口部から外された後に前記閉鎖装置（クロージャ）を前記容器本体から懸垂する弾力ハンガー３３が設けられ、前記弾力ハンガー３３が弾性材料からなり、その一端が前記外キャップに固定され、その他端が前記容器本体２に固定されることを特徴とする閉鎖アセンブリ。
【発明の詳細な説明】
【技術分野】
【０００１】
本発明は、容器閉鎖装置（クロージャ）に関するものであり、特に、１つの単位としてまとめて扱える内キャップと外キャップとを含む容器閉鎖（クロージャ）アセンブリであって、前記内キャップの前記外キャップからの離脱が防止されるように前記内キャップと外キャップとのそれぞれに形成される係止部材によって該キャップ同士が互いに係合されることから、出口開口部の開閉が便利であるとともに、前記閉鎖アセンブリの組立も容易であり、その構成部品数が減少されることから、その生産性は著しく向上され、前記内キャップと前記外キャップとの係合状態がコンパクトであることから、その取り扱いが便利であることを特徴とする、容器閉鎖アセンブリに関する。
【背景技術】
【０００２】
一般に、ソフトな内キャップが容器の出口開口部に係合され、固形の外キャップがその出口開口部の外側に係合される。
【０００３】
前記内キャップには、前記容器の出口開口部に嵌着する挿入部分と、前記挿入部分の上端部に形成されるフランジと、が含まれる。前記外キャップは、前記出口開口部の外周面に係合されるように構成される。
【０００４】
前記内キャップと前記外キャップとが前記容器の出口開口部に係合される状態で前記容器の出口開口部を開けるには、先ず前記外キャップが前記出口開口部から外され、次いで前記内キャップが前記出口開口部から取り外される。
【０００５】
かかる密閉容器には、その出口開口部を容易に開閉できること、その閉鎖装置（クロージャ）が紛失の心配なしに簡便に扱えること、さらに、優れた密閉性が求められる。
【０００６】
前記従来の密閉容器には、前記内キャップを前記出口開口部から外すことが困難かつ不便であり、前記内キャップと前記外キャップとが別々に形成されていることから、前記出口開口部を開いた後に前記内キャップが汚染されたり、紛失する可能性が高く、前記内キャップと外キャップの前記出口開口部への着脱が面倒である、という問題点がある。
【０００７】
上記問題点をするために、本出願人はいくつかの特許申請、例えば「容器閉鎖装置（クロージャ）の構造」と題する韓国特許第１０-０５６７２０６号などを開発、提示してきた。
【０００８】
上記特許で開示されている閉鎖装置（クロージャ）には、内キャップ１１０と、外キャップ１２０と、前記内キャップを前記外キャップと接続する弾力性のある結合部材１３０と、前記内キャップ１１０に取り付けられる磁石１４０と、が含まれる。前記構造により、前記内キャップと外キャップの容器本体２の出口開口部２ａへの着脱が容易となり、前記外キャップと内キャップとの汚染や紛失は防止される。
【０００９】
しかしながら、前記内キャップと前記外キャップとが前記結合部材１３０によって接続されることから、その構成部品数が増加するため、その組立工程と製造コストが高くなってしまうという別の問題がある。
【発明の概要】
【発明が解決しようとする課題】
【００１０】
従って、本発明は、従来技術で発生する前述の問題点を解決するためになされたものであり、本発明の目的は、１つの単位としてまとめて扱える内キャップと外キャップとを含む容器閉鎖アセンブリにおいて、前記内キャップの前記外キャップからの離脱が防止されるように前記内キャップと外キャップとのそれぞれに形成される係止部材によって該キャップ同士が互いに係合されることから、出口開口部の開閉が便利であるとともに、前記閉鎖アセンブリの組立も容易であり、その構成部品数が減少されることから、その生産性は著しく向上され、前記内キャップと前記外キャップとの係合状態がコンパクトであることから、その取り扱いが便利であることを特徴とする閉鎖アセンブリを提供することである。
【課題を解決するための手段】
【００１１】
前述の目的を達成するために、１つの単位としてまとめて扱える内キャップと外キャップとを含む容器閉鎖アセンブリが開示・提供され、その内キャップは、挿入部分にフランジを形成してなる容器の出口開口部に密着嵌合され、その外キャップは、前記内キャップを封入するように前記出口開口部の外周面に係合されるネジ部を有し、前記内キャップの前記外キャップからの離脱が防止されるように、前記内キャップと前記外キャップとは対応係止部材を有する。
【００１２】
前記外キャップは、段差部を形成するように前記ネジ部の直径よりも小径の直径を有する第２係合部分を含み、かつ前記第２係合部分の内周面に形成される少なくとも１つの係止部を有し、前記内キャップは、同内キャップから上向きに突出する第１係合部分を含み、かつ前記外キャップの第２係合部分に対応する前記第１係合部分の外周面に形成される係止部を有する。
【発明の効果】
【００１３】
前記構造により、１つの単位としてまとめて扱える前記内キャップと外キャップとを含む前記閉鎖アセンブリは、前記内キャップの前記外キャップからの離脱が防止されるように、前記内キャップと外キャップとのそれぞれに形成される前記係止部材によって該キャップ同士が互いに係合されることから、前記出口開口部の開閉が便利であるとともに、その組立も容易であり、その構成部品数が減少されることから、その生産性は著しく向上される。加えて、前記内キャップと前記外キャップとの係合状態がコンパクトであることから、その取り扱いが便利である。
【図面の簡単な説明】
【００１４】
本発明の上記目的、その他の機能及び利点は、以下の添付図面を参照して本発明の好適な実施形態を詳細に説明することによって、より明確になるであろう。
【図１】従来技術による閉鎖装置（クロージャ）を例示する分解斜視図である。
【図２】本発明の一実施形態に係る閉鎖アセンブリを例示する分解斜視図である。
【図３】図２の閉鎖アセンブリの係合状態を例示する断面図である。
【図４】本発明の一実施形態に係る閉鎖アセンブリを例示する断面図である。
【図５】本発明の一実施形態に係る外キャップを例示する断面図である。
【図６】本発明の代替実施形態に係る閉鎖アセンブリを例示する分解斜視図である。
【図７】図６の閉鎖アセンブリの係合状態を例示する断面図である。
【図８】本発明の別の実施形態に係る閉鎖アセンブリを例示する断面図である。
【図９】本発明のさらに別の実施形態に係る閉鎖アセンブリを例示する断面図である。
【図１０】本発明のさらに別の実施形態に係る閉鎖アセンブリを例示する断面図である。
【図１１】図１０の平面図である。
【図１２】本発明のさらに別の実施形態に係る閉鎖アセンブリを例示する断面図である。
【図１３】本発明の別の実施形態に係る閉鎖アセンブリを例示する斜視図である。
【図１４】本発明のさらに別の実施形態に係る閉鎖アセンブリを例示する断面図である。
【発明を実施するための形態】
【実施例】
【００１５】
これから、本発明の好適な実施形態に係る容器閉鎖アセンブリを添付図面を参照して詳細に説明する。
図２は本発明の一実施形態に係る閉鎖アセンブリを例示する分解斜視図であり、図３は、図２の閉鎖アセンブリの係合状態を例示する断面図である。
【００１６】
図２と図３を参照すると、本発明の一実施形態に係る容器閉鎖アセンブリ１には、容器２の出口開口部２ａに密着嵌合し、かつ挿入部分１１に形成されるフランジ１２を有する内キャップ１０と、前記内キャップ１０を封入するように前記出口開口部２ａの外周面に係合されるネジ部２１を有する外キャップ２０と、が含まれ、さらに、前記内キャップ１０と前記外キャップ２０とが対応係止部材Ｃを有することから、前記内キャップ１０は前記外キャップ２０から完全に分離することなく、前記外キャップと内キャップとからなる１つの単位を形成するようになっている。
【００１７】
前記係止部材Ｃには、前記内キャップ１０の挿入部分１１の後面から上向きに突起する第１結合カラム１３であって、その上端部に形成されるフック部１３ａを備える第１結合カラム１３と、前記外キャップ２０の上面から下向きに突起し、かつ前記第１結合カラムのフック部１３ａに係合されるフック部２３ａを備える第２結合カラム２３と、が含まれる。
【００１８】
前記フック部１３ａ，２３ａがフック形状の端部を有することから、前記フック部１３ａは、前記フック部２３ａと容易に係合され、前記フック部２３ａから離脱することはほとんどなく、前記内キャップと前記外キャップとがプラスチック材料からなる場合、その材料の弾力性のために前記フック部１３ａ，２３ａ同士を容易に係合させることができる。
【００１９】
また、前記内キャップ１０には、前記第２結合カラム２３を前記第１結合カラム１３に沿ってガイドするとともに、前記内キャップ１０を補強する円筒状ガイド部１４が設けられてもよく、前記ガイド部１４には補強リブ１４ａが設けられてもよい。
【００２０】
前記第１及び第２結合カラム１３，２３のフック部１３ａ，２３ａは、図４に示すように互いに螺合されるネジ部１３ａｂ，２３ａｂに形成されてもよい。
【００２１】
前記フック部１３ａ，２３ａが前記ネジ部１３ａｂ，２３ａｂに形成される場合、前記内キャップと前記外キャップとは最初の係合で互いに螺合されるが、前記外キャップが前記内キャップの底部に向かって連続的に回転される場合は、前記内キャップと前記外キャップとは係止されて、前記外キャップの前記内キャップからの分離を防止する。
【００２２】
好ましくは、前記フック部２３ａを備える前記第２結合カラム２３には、図５に示すように、その前端部に半径方向に形成される切欠部２３ｂが設けられる。
【００２３】
本発明の別の実施形態に係る係止部材Ｃでは、図６と図７に示すように、前記外キャップ２０には、段差部を形成するように、前記ネジ部２１の直径よりも小径の直径を有し、かつ前記第２係合部分の内周面に形成される少なくとも１つの係止部２５ａを有する第２係合部分２５が含まれる。前記内キャップ１０には、それから上向きに突出し、かつ前記外キャップの第２係合部分２５に対応する前記第１係合部分１５の外周面に形成される係止部１５ａを有する第１係合部分１５が含まれる。
【００２４】
前記第１係合部分１５は、凹溝１５ｂと、その凹溝１５の上部分に形成される当接部１５ｂａを有し、前記第２係合部分２５は、前記凹溝１５ｂの当接部１５ｂａに対応する係止ボス２５ｂを有する。
【００２５】
本発明の別の実施形態に係る係止部材Ｃでは、図８と図９に示すように、前記内キャップ１０に、前記挿入部分１１の後面に形成される空間１１ａを被装し、かつその中心部に形成されるアンカー孔１７を有する上面１６が含まれる。前記外キャップ２０は、前記アンカー部２７ａが前記アンカー孔１７から外れることを防止するために、アンカー部２７ａを有するアンカー２７と一体的または別個に形成される。
【００２６】
本発明の別の実施形態に係る係止部材Ｃでは、図１０と図１１に示すように、前記外キャップ２０に通孔２９が設けられ、前記内キャップ１０に、前記外キャップの上部分から前記通孔２９を貫通して前記内キャップ１０を係合し、前記外キャップ２０が外れることを防止するつまみ１８ａを有する係止部１８が含まれる。この場合、前記係止部１８を組立後に前記内キャップに溶着してもよく、前記つまみ１８ａを前記容器の使用時に折り曲げてもよい。
【００２７】
本発明の一実施形態では、図１２に示すように、前記内キャップ１０または前記外キャップ２０に、前記閉鎖装置（クロージャ）の前記容器本体２の出口開口部から係合解除後に前記閉鎖装置（クロージャ）を前記容器本体２に取り付け状態に保つための磁石３１またはベルクロ繊維ファスナー（図示せず）が設けられてもよい。
【００２８】
この場合、前記容器本体２には、前記閉鎖装置（クロージャ）の磁石に対応する磁石または金属が含まれる。また、前記ベルクロ繊維ファスナーが前記外キャップに設けられる場合には、対応するベルクロ繊維ファスナーが前記容器本体の任意の外面に付着される。
【００２９】
また、前記内キャップ１０または前記外キャップ２０には、前記容器本体の容器本体２から係合解除される前記閉鎖装置（クロージャ）を保持するために、図１３に示すように、前記容器本体２に形成される閉鎖装置（クロージャ）保持部２ｂに対応する凹状取付部２２が設けられてもよい。
【００３０】
前記外キャップ２０には、前記閉鎖装置（クロージャ）が前記容器本体の出口開口部から外された後に、前記閉鎖装置（クロージャ）を前記容器本体から片持ち梁式に懸垂する弾力ハンガー３３が設けられてもよく、前記弾力ハンガー３３は、弾性材料からなり、その一端が前記外キャップに固定され、その他端が前記容器本体２に固定される。
【００３１】
本発明に係る閉鎖アセンブリの動作をこれから説明する。
【００３２】
本発明に係る閉鎖アセンブリは、前記内キャップの前記外キャップからの分離を防止するように構成されることから、前記容器本体の出口開口部２ａが開かれる際にその取り扱いが便利であり、前記係止部材Ｃが前記内キャップ１０と前記外キャップ２０とに設けられることから、前記閉鎖アセンブリは容易に組み付けられ、その生産性を向上させる。
【００３３】
本発明の係止部材Ｃは、前記フック部１３ａを備える前記第１結合カラム１３と、前記フック部２３ａを備える前記第２結合カラム２３と、からなり（図２、図３及び図４を参照）、前記内キャップ１０と前記外キャップ２０とが追加構成部品を用いることなしに１つの単位として互いに係合することから、前記容器本体の出口開口部と係合または係合解除される際に、前記閉鎖アセンブリは取り扱いが容易である。
【００３４】
上記動作を実現できるのは、前記内キャップ１０に前記第１係合部分１５が設けられ、かつ前記外キャップ２０に前記第２係合部分２５が設けられる場合（図６と図７を参照）と、前記アンカー２７が使用される場合（図８を参照）と、前記係止部１８が設けられる場合（図８を参照）と、である。
【００３５】
なお、前記内キャップ１０または前記外キャップ２０に前記磁石３１が設けられ、かつ前記容器本体１０に、前記磁石３１に対応する前記金属片または磁石が設けられる場合、前記出口開口部が開かれている際に前記閉鎖アセンブリを前記容器本体に取り付けることができることから、前記閉鎖アセンブリの取り扱いが便利であるとともに、前記閉鎖アセンブリ紛失も防止される（図１２を参照）。
【００３６】
その利便性は、前記閉鎖装置（クロージャ）保持部２ｂが前記容器本体２に形成され、かつ前記閉鎖装置（クロージャ）保持部２ｂに対応する前記凹状取付部２２が前記外キャップ２０に形成される場合にも実現することができる（図１３を参照）。
【００３７】
前記外キャップ２０に前記弾力ハンガー３３が設けられる場合、前記閉鎖アセンブリが前記容器本体の出口開口部から外された後に、前記閉鎖アセンブリは前記容器本体から懸垂されることから、その利便性を向上させ、前記内キャップ１０の汚染を防止する。
【００３８】
上述の実施形態は、単に例示的なものであり、本発明を限定するものと解釈されるべきではなく、本教示は他の機器・装置に容易に適用することが可能であり、本発明の説明は例示目的を意図したものに過ぎず、特許請求の範囲を限定するものではなく、多くの代替形態、変更形態、及び変形形態が当業者であれば明らかであろう。
【産業上の利用可能性】
【００３９】
上記説明から明らかなように、前記構造により、１つの単位としてまとめて扱える前記内キャップと外キャップとを含む前記閉鎖アセンブリは、前記内キャップの前記外キャップからの離脱が防止されるように、前記内キャップと外キャップとのそれぞれに形成される前記係止部材によって該キャップ同士が互いに係合されることから、前記出口開口部の開閉が便利であるとともに、その組立も容易である。
【００４０】
その構成部品数が減少されることから、その生産性は著しく向上される。加えて、前記内キャップと前記外キャップとの係合状態がコンパクトであることから、その取り扱いが便利である。
【図１】
2009542531.tif 000003
【図２】
2009542531.tif 000004
【図３】
2009542531.tif 000005
【図４】
2009542531.tif 000006
【図５】
2009542531.tif 000007
【図６】
2009542531.tif 000008
【図７】
2009542531.tif 000009
【図８】
2009542531.tif 000010
【図９】
2009542531.tif 000011
【図１０】
2009542531.tif 000012
【図１１】
2009542531.tif 000013
【図１２】
2009542531.tif 000014
【図１３】
2009542531.tif 000015
【図１４】
2009542531.tif 000016
【国際調査報告】
2009542531.tif 000017
2009542531.tif 000018